(57)【要約】【課題】ユーザが自分に適した学習用問題を容易に取得することを可能とするとともに、塾や予備校などが資産を有効に活かすことができるようにすること。【解決手段】画像形成装置１０の情報読取部１５が、ユーザが所持する生徒証４０からユーザの個人データを読み取り、通信部１４が、情報読取部１５により読み取られた個人データを認証用サーバ装置に送信し、認証用サーバ装置により個人データに基づいて本人認証が行われ、ユーザが本人であると認証された場合に、個人データに対応する学習用問題のデータをデータ提供用装置から受信し、画像形成部１７が、通信部１４により受信されたデータに基づいて画像を形成する。【選択図】図２
2014029572.tif 000002
【特許請求の範囲】
【請求項１】
ネットワークを介して通信を行う画像形成装置であって、
ユーザが所持する記憶媒体から該ユーザの個人データを読み取る情報読取部と、
該情報読取部が読み取った個人データを認証用装置に送信し、該認証用装置により前記個人データに基づいて本人認証が行われ、前記ユーザが本人であると認証された場合に、前記個人データに対応する学習用問題のデータをデータ提供用装置から受信する通信部と、
該通信部により受信されたデータに基づいて前記画像を形成する画像形成部と、
を備えることを特徴とする画像形成装置。
【請求項２】
前記画像の形成についての課金処理を実行する課金処理部をさらに備えることを特徴とする請求項１に記載の画像形成装置。
【請求項３】
前記学習用問題に対する解答をスキャンするスキャン処理部をさらに備え、前記通信部は、スキャンにより得られた解答のデータを前記データ提供用装置に送信し、前記解答に対してなされた採点結果のデータを受信することを特徴とする請求項１または２に記載の画像形成装置。
【請求項４】
認証用装置と、データ提供用装置と、前記認証用装置および前記データ提供用装置とネットワークを介して通信を行う画像形成装置とを有する画像形成システムであって、
前記画像形成装置は、
ユーザが所持する記憶媒体から該ユーザの個人データを読み取る情報読取部と、
該情報読取部が読み取った個人データを前記認証用装置に送信し、前記個人データに対応する学習用問題のデータを前記データ提供用装置から受信する第１の通信部と、
該第１の通信部により受信されたデータに基づいて前記画像を形成する画像形成部と、
を備え、
前記認証用装置は、
前記個人データを前記画像形成装置から受信する第２の通信部と、
該第２の通信部により受信された前記個人データに基づいて本人認証を行う認証部と、
を備え、
前記データ提供用装置は、
前記認証用装置により前記ユーザが本人であると認証された場合に、前記個人データに対応する学習用問題のデータを選択するデータ選択部と、
該データ選択部により選択されたデータを前記画像形成装置に送信する第３の通信部と、
を備えることを特徴とする画像形成システム。
【発明の詳細な説明】
【技術分野】
【０００１】
本発明は、画像形成装置および画像形成システムに関し、詳しくは、ネットワークを介して通信を行う画像形成装置、および、認証用装置と、データ提供用装置と、前記認証用装置および前記データ提供用装置とネットワークを介して通信を行う画像形成装置とを有する画像形成システムに関する。
【背景技術】
【０００２】
塾や予備校などでは、模擬試験などを通じて膨大な学習指導のノウハウを蓄積しており、そのノウハウは出版物としてまとめられ、生徒が購入できるようになっている。それらの出版物は、塾や予備校の窓口で販売されるため、生徒は窓口まで出向く必要があった。また、通信販売で購入することもできるが、出版物が配達されるまで数日かかるという欠点がある。
【０００３】
特許文献１には、コンビニエンスストア等に設置された複合機を利用して、住民票や戸籍謄本などの公文書の申請および交付を可能とする技術が開示されている。この技術では、複合機は、インターネットを介してサービスサーバに接続され、サービスサーバは、専用回線を介して住民基本台帳ネットワークシステムに接続されている。
【０００４】
このサービスサーバは、利用者が複合機を操作して公文書の発行申請を行う際、利用者の住民基本台帳カードから読み取られた電子証明書を用いて本人認証を行う。本人認証が成功した場合、サービスサーバは、住民基本台帳ネットワークシステムから公文書を受け取り、それを複合機に転送する。そして、複合機は、その公文書を印刷する。これにより、利用者は公文書を手に入れることができる。
【先行技術文献】
【特許文献】
【０００５】
【特許文献１】特開２００５−３０９８８８号公報
【発明の概要】
【発明が解決しようとする課題】
【０００６】
しかしながら、特許文献１の従来技術は、住民票や戸籍謄本などの公文書を対象としたものであり、塾や予備校などで出版される学習用問題の文書を対象としたものではない。塾や予備校などで出版される学習用問題は、発行部数が多いとは言えず、入手するのは必ずしも容易ではない。また、生徒には、自分の苦手分野に関連する問題だけを購入したり、分野ごとに問題を購入したりしたいという要求がある。塾や予備校には、眠っていた資産を活かし、顧客サービスの充実や、新たなビジネスモデルに繋げたいという要求がある。
【０００７】
本発明は、上記実情に鑑み、ユーザが自分に適した学習用問題を容易に取得することを可能とするとともに、塾や予備校などが資産を有効に活かすことを可能とする画像形成装置および画像形成システムを提供することを目的とする。
【課題を解決するための手段】
【０００８】
上記課題を解決する為に、本発明の第１の技術手段は、ネットワークを介して通信を行う画像形成装置であって、ユーザが所持する記憶媒体から該ユーザの個人データを読み取る情報読取部と、該情報読取部が読み取った個人データを認証用装置に送信し、該認証用装置により前記個人データに基づいて本人認証が行われ、前記ユーザが本人であると認証された場合に、前記個人データに対応する学習用問題のデータをデータ提供用装置から受信する通信部と、該通信部により受信されたデータに基づいて前記画像を形成する画像形成部と、を備えることを特徴とする。
【０００９】
本発明の第２の技術手段は、第１の技術手段において、前記画像の形成についての課金処理を実行する課金処理部をさらに備えることを特徴とする。
【００１０】
本発明の第３の技術手段は、第１または第２の技術手段において、前記学習用問題に対する解答をスキャンするスキャン処理部をさらに備え、前記通信部は、スキャンにより得られた解答のデータを前記データ提供用装置に送信し、前記解答に対してなされた採点結果のデータを受信することを特徴とする。
【００１１】
本発明の第４の技術手段は、認証用装置と、データ提供用装置と、前記認証用装置および前記データ提供用装置とネットワークを介して通信を行う画像形成装置とを有する画像形成システムであって、前記画像形成装置は、ユーザが所持する記憶媒体から該ユーザの個人データを読み取る情報読取部と、該情報読取部が読み取った個人データを前記認証用装置に送信し、前記個人データに対応する学習用問題のデータを前記データ提供用装置から受信する第１の通信部と、該第１の通信部により受信されたデータに基づいて前記画像を形成する画像形成部と、を備え、前記認証用装置は、前記個人データを前記画像形成装置から受信する第２の通信部と、該第２の通信部により受信された前記個人データに基づいて本人認証を行う認証部と、を備え、前記データ提供用装置は、前記認証用装置により前記ユーザが本人であると認証された場合に、前記個人データに対応する学習用問題のデータを選択するデータ選択部と、該データ選択部により選択されたデータを前記画像形成装置に送信する第３の通信部と、を備えることを特徴とする。
【発明の効果】
【００１２】
本発明によれば、ユーザが所持する記憶媒体からユーザの個人データを読み取り、読み取った個人データを認証用装置に送信し、認証用装置により個人データに基づいて本人認証が行われ、ユーザが本人であると認証された場合に、個人データに対応する学習用問題のデータをデータ提供用装置から受信し、受信されたデータに基づいて画像を形成することとしたので、ユーザが自分に適した学習用問題を容易に取得することを可能とするとともに、塾や予備校などが資産を有効に活かすことができる。
【図面の簡単な説明】
【００１３】
【図１】本発明の実施形態に係る画像形成システムの構成の一例を示す図である。
【図２】本発明の実施形態に係る画像形成装置の構成の一例を示す図である。
【図３】本発明の実施形態に係る認証用サーバ装置の構成の一例を示す図である。
【図４】本発明の実施形態に係るデータ提供用サーバ装置の構成の一例を示す図である。
【図５】本発明の実施形態に係る画像形成処理の処理手順の一例を示すフローチャートである。
【図６】本発明の実施形態に係る画像形成処理の処理手順の一例を示すフローチャートである。
【図７】図５に示す情報読取処理の処理手順の一例を示す図である。
【図８】図５に示す装置間通信チェック処理の処理手順の一例を示す図である。
【図９】図５に示す本人認証処理の処理手順の一例を示す図である。
【図１０】図６に示す支払い方法情報送信処理の処理手順の一例を示す図である。
【図１１】図６に示す文書データダウンロード処理の処理手順の一例を示す図である。
【図１２】本発明の実施形態に係る採点結果印刷処理の処理手順の一例を示すフローチャートである。
【発明を実施するための形態】
【００１４】
以下、本発明の実施形態について図面を参照して詳細に説明する。図１は、本発明の実施形態に係る画像形成システムの構成の一例を示す図である。図１に示すように、この画像形成システムは、画像形成装置１０、認証用サーバ装置２０、データ提供用サーバ装置３０がＬＡＮ（Local Area Network）やインターネットなどのネットワークを介して接続されている。
【００１５】
画像形成装置１０は、コンビニエンスストアなどに設置され、コピー処理や印刷処理などの画像形成処理を実行する装置である。
【００１６】
この画像形成装置１０は、塾や予備校などの学校の生徒が所持するＩＣチップを内蔵した生徒証から、その生徒の個人データを読み取り、また、パスワードの入力を受け付ける。そして、画像形成装置１０は、個人データおよびパスワードのデータを認証用サーバ装置２０にＳＳＬ（Secure Socket Layer）などのプロトコルを用いて送信する。ＳＳＬなどのプロトコルによりデータを送信することにより、情報の漏えいを防止することができる。
【００１７】
ここで、個人データとは、生徒の氏名や生徒を特定する生徒ＩＤ、生徒が所属するクラスのデータなどを含むデータである。また、生徒証およびパスワードは、生徒が通う学校により発行されたものである。生徒証は、生徒の教室などの入退室管理に用いられるものであってもよい。
【００１８】
なお、以下では、個人データを記憶する記憶媒体として、学校の生徒が所持する生徒証を用いる場合について説明するが、学校の生徒以外の者に個人認証用カードを発行し、それに個人データを記憶して、以下に説明する文書提供サービスを提供することとしてもよい。この場合、学校の生徒とそれ以外の者との間で文書データに対するアクセス権限に差を設けることとしてもよい。
【００１９】
認証用サーバ装置２０は、生徒が本人であることを特定可能な情報を用いて、生徒の本人認証を行う装置である。具体的には、認証用サーバ装置２０は、画像形成装置１０から受信した個人データおよびパスワードのデータを用いて生徒が本人であるか否かを認証する。
【００２０】
なお、ここでは、個人データとパスワードの組み合わせに基づいて本人認証を行うこととしたが、情報の漏洩をさらに確実に防ぎたい場合は、さらに指紋などの個人を特定可能な情報を用いて本人認証を行ってもよいし、情報の漏洩をそれほど問題にしない場合は、個人データのみ、あるいは、個人データに含まれる情報のみ（例えば、生徒ＩＤ）で本人認証を行ってもよい。
【００２１】
データ提供用サーバ３０は、学校における過去の試験問題やその解答、採点結果のデータなどを記憶し、認証用サーバ装置２０により生徒が本人であると認証された場合に、それらのデータを画像形成装置１０に暗号化して送信する装置である。このデータ提供用サーバ装置３０は、サービスを提供する側が自前の設備として構築した従来のクライアントサーバシステムにおけるサーバ装置であってもよいし、クラウドコンピューティング技術を用いてサービスを提供するサーバ装置であってもよい。
【００２２】
データ提供用サーバ装置３０には、学校における過去の試験問題のデータが蓄積されており、その中から生徒の個人データに対応する試験問題のデータが画像形成装置１０にＳＳＬなどのプロトコルを用いてダウンロードされる。そして、このデータを受信した画像形成装置１０は、そのデータを用いて問題を印刷する。
【００２３】
これにより、生徒は、コンビニエンスストアなどに設置された画像形成装置１０から、試験問題を容易に入手することができる。また、ＳＳＬなどのプロトコルによりデータを送信することにより、情報の漏えいを防止することができる。
【００２４】
また、画像形成装置１０は、試験問題を入手する生徒に対する課金処理を実行する。具体的には、画像形成装置１０は、試験問題の購入に必要な金額を表示した上で、生徒から試験問題の購入要求を受け付ける。また、画像形成装置１０は、生徒から試験問題の購入要求を受け付けた場合に、生徒からさらに支払い方法（クレジットカード払いや現金払いなど）の指定を受け付ける。
【００２５】
支払い方法の情報は、認証用サーバ装置２０にＳＳＬなどのプロトコルを用いて送信され、その情報を参照して生徒に対し学校からの請求がなされる。ここでも、ＳＳＬなどのプロトコルによりデータを送信することにより、情報の漏えいを防止することができる。
【００２６】
つぎに、本発明の実施形態に係る画像形成装置１０の構成について説明する。図２は、本発明の実施形態に係る画像形成装置１０の構成の一例を示す図である。画像形成装置１０は、入力部１１、表示部１２、記憶部１３、通信部１４、情報読取部１５、スキャン処理部１６、画像形成部１７、課金処理部１８、制御部１９を備える。
【００２７】
入力部１１は、ボタンやタッチパッドなどの入力デバイスである。表示部１２は、液晶パネルなどの表示デバイスである。ここで、入力部１１のタッチパッド部分と表示部１２とは、タッチパネルを構成する。
【００２８】
記憶部１３は、種々のデータを記憶するメモリやハードディスク装置などの記憶デバイスである。通信部１４は、ＬＡＮやインターネットなどのネットワークを介して他の装置と通信を行う処理部である。
【００２９】
情報読取部１５は、ＩＣチップが内蔵された生徒証４０から、生徒の個人データを読み取る処理部である。個人データには、生徒の氏名や生徒を特定する生徒ＩＤ、生徒が所属するクラスのデータなどが含まれる。ここでは、生徒の個人データを生徒証４０から読み取ることとするが、個人データを記憶した携帯電話機やスマートフォンなどからそれを読み取ることとしてもよい。
【００３０】
スキャン処理部１６は、原稿のスキャンを行う処理部である。例えば、スキャン処理部１６は、試験問題に対する解答が記載された解答用紙をスキャンする。画像形成部１７は、コピー処理や印刷処理などの画像形成処理を行う処理部である。
【００３１】
課金処理部１８は、試験問題を入手する生徒に対する課金処理を実行する処理部である。具体的には、課金処理部１８は、試験問題の購入に必要な金額を表示部１２に表示させ、生徒から試験問題の購入要求を受け付ける。また、課金処理部１８は、生徒から試験問題の購入要求を受け付けた場合に、支払い方法の選択画面を表示部１２に表示させ、その後、生徒から支払い方法の指定を受け付ける。この情報は、通信部１４により認証用サーバ装置２０に送信される。
【００３２】
制御部１９は、画像形成装置１０の各部を制御するＣＰＵ（Central Processing Unit）などの制御デバイスである。
【００３３】
つぎに、本発明の実施形態に係る認証用サーバ装置２０の構成について説明する。図３は、本発明の実施形態に係る認証用サーバ装置２０の構成の一例を示す図である。認証用サーバ装置２０は、入力部２１、表示部２２、記憶部２３、通信部２４、認証部２５、制御部２６を備える。
【００３４】
入力部２１は、キーボードやマウスなどの入力デバイスである。表示部２２は、液晶ディスプレイなどの表示デバイスである。記憶部２３は、メモリやハードディスク装置などの記憶デバイスである。記憶部２３は、生徒データ２３ａ、課金データ２３ｂなどを記憶する。
【００３５】
生徒データ２３ａは、生徒の個人データ、パスワードのデータ、その生徒の学習に適すると教官等が判断した試験問題に割り当てられた試験問題ＩＤ、その生徒の苦手な分野を特定する分野ＩＤ、その生徒が内容を学習すべき試験が実施された試験実施の年度を特定する年度ＩＤ、その生徒が学習すべき科目を特定する科目ＩＤ、その生徒に適切な試験問題の難易度を特定する難易度ＩＤ、その生徒が受けるべき試験の種別（例えば、国家Ｉ種試験、国家ＩＩ種試験など）を特定する種別ＩＤ、その生徒のクレジットカードの情報、受講料の引き落としに用いられる銀行口座の情報が対応付けて記憶されたデータである。
【００３６】
前述のように、個人データには、生徒の氏名や生徒を特定する生徒ＩＤ、生徒が所属するクラスのデータなどが含まれる。そして、学校が蓄積している試験問題のうち、生徒データ２３ａに記憶されている試験問題ＩＤ、分野ＩＤ、年度ＩＤ、科目ＩＤ、難易度ＩＤ、種別ＩＤに対応する試験問題が生徒に対して提供可能な試験問題として選択される。
【００３７】
ここで、試験問題ＩＤ、分野ＩＤ、年度ＩＤ、科目ＩＤ、難易度ＩＤ、種別ＩＤはそれぞれ、教官等の意見、生徒の苦手分野、その生徒が内容を学習すべき試験が実施された試験実施の年度、その生徒が学習すべき科目、その生徒に適切な試験問題の難易度、その生徒が受けるべき試験の種別などを考慮して、学校の担当者により設定される。
【００３８】
また、生徒自身が予め、自分が必要とする試験問題、苦手分野、試験問題の試験実施の年度、科目、試験問題の難易度、試験の種別を学校に申告しておき、その申告に応じて試験問題ＩＤ、分野ＩＤ、年度ＩＤ、科目ＩＤ、難易度ＩＤ、種別ＩＤがそれぞれ設定されることとしてもよい。
【００３９】
課金データ２３ｂは、生徒に課金する金額などの明細のデータを、その生徒の生徒ＩＤと対応付けて記憶したデータである。
【００４０】
通信部２４は、ＬＡＮやインターネットなどのネットワークを介して他の装置と通信を行う処理部である。認証部２５は、画像形成装置１０から受信した個人データおよびパスワードを基にして本人認証を行う処理部である。
【００４１】
具体的には、認証部２５は、画像形成装置１０から受信した個人データ、および、パスワードが、記憶部２３に生徒データ２３ａに含まれる個人データ、および、パスワードとそれぞれ一致するか否かを判定する。
【００４２】
そして、認証部２５は、それらが一致する場合、生徒が本人であると判定し、それらが一致しない場合、生徒が本人でないと判定する。認証部２５は、生徒が本人であると判定した場合、その判定結果の情報をデータ提供用サーバ装置３０に送信する。
【００４３】
制御部２６は、認証サーバ装置２０の各部を制御するＣＰＵなどの制御デバイスである。
【００４４】
つぎに、本発明の実施形態に係るデータ提供用サーバ装置３０の構成について説明する。図４は、本発明の実施形態に係るデータ提供用サーバ装置３０の構成の一例を示す図である。データ提供用サーバ装置３０は、入力部３１、表示部３２、記憶部３３、通信部３４、データ選択部３５、採点処理部３６、制御部３７を備える。
【００４５】
入力部３１は、キーボードやマウスなどの入力デバイスである。表示部３２は、液晶ディスプレイなどの表示デバイスである。記憶部３３は、メモリやハードディスク装置などの記憶デバイスである。記憶部３３は、問題データ３３ａ、解答データ３３ｂ、採点結果データ３３ｃなどを記憶する。
【００４６】
問題データ３３ａは、学校における過去の試験問題のデータを、その試験問題の詳細情報、前述した試験問題ＩＤ、分野ＩＤ、年度ＩＤ、科目ＩＤ、難易度ＩＤ、種別ＩＤと対応付けて記憶したデータである。詳細情報には、試験問題の概略、ページ数、購入料金などの情報が含まれている。
【００４７】
解答データ３３ｂは、試験問題の解答を、試験問題の試験問題ＩＤと対応付けて記憶したデータである。採点結果データ３３ｃは、試験問題の解答の採点結果のデータを、生徒の生徒ＩＤと対応付けて記憶したデータである。この採点結果のデータには、得点、順位、合格可能性の判定結果、偏差値、どの分野が誤りが多いかの傾向を示すデータなどが含まれる。
【００４８】
通信部３４は、ＬＡＮやインターネットなどのネットワークを介して他の装置と通信を行う処理部である。データ選択部３５は、データ提供用サーバ装置３０が蓄積しているデータの中から、認証用サーバ装置２０により本人であるとの認証がなされた生徒に対して提供するデータを選択し、選択したデータを通信部３４を介して画像形成装置１０に送信する処理部である。
【００４９】
例えば、データ選択部３５は、本人認証がなされた生徒に対応付けて、認証用サーバ装置２０の記憶部２３に生徒データ２３ａとして記憶されている試験問題ＩＤ、分野ＩＤ、年度ＩＤ、科目ＩＤ、難易度ＩＤ、種別ＩＤの情報を認証用サーバ装置２０から取得し、取得した各ＩＤに対応する試験問題の詳細情報を記憶部３３の問題データ３３ａに記憶された詳細情報の中から選択する。そして、データ選択部３５は、選択した詳細情報を画像形成装置１０に送信する。
【００５０】
さらに、データ選択部３５は、詳細情報を送信した試験問題の中から生徒により指定された試験問題のデータを問題データ３３ａから読み出し、読み出したデータを画像形成装置１０に送信する。このデータを用いて試験問題を印刷することにより、生徒は試験問題を入手することができる。
【００５１】
また、データ選択部３５は、生徒による画像形成装置１０の操作により、画像形成装置１０から採点結果のデータの送信要求がなされた場合に、送信要求がなされたデータを画像形成装置１０に送信する。
【００５２】
採点処理部３６は、生徒の解答結果に対する採点を行う処理部である。例えば、採点処理部３６は、答案がマークシートの答案である場合、マークシートで選択された各解答の情報を画像形成装置１０から取得する。そして、採点処理部３６は、解答データ３３ｂを参照して、その解答の正誤を判定し、採点を行う。
【００５３】
さらに、採点処理部３６は、採点結果データ３３ｃを参照し、その生徒および他の生徒の採点の結果から、その生徒の順位、合格可能性の判定結果、偏差値、どの分野において誤りが多いかの傾向などを判定する。
【００５４】
制御部３７は、データ提供用サーバ装置３０の各部を制御するＣＰＵなどの制御部である。
【００５５】
つぎに、本発明の実施形態に係る画像形成処理の処理手順について説明する。図５、図６は、本発明の実施形態に係る画像形成処理の処理手順の一例を示すフローチャートである。
【００５６】
まず、画像形成装置１０の表示部１２は、生徒が画像形成装置１０を操作して行う処理の選択を受け付けるためのメニュー画面を表示する（ステップＳ１０１）。そして、情報読取部１５は、生徒により試験問題出力処理が選択されたか否かを判定する（ステップＳ１０２）。試験問題出力処理が選択されなかった場合（ステップＳ１０２においてＮＯの場合）、この画像形成処理はそのまま終了する。この場合、選択された他の処理が画像形成処理により実行される。
【００５７】
試験問題出力処理が選択された場合（ステップＳ１０２においてＹＥＳの場合）、生徒が有する生徒証４０から生徒の個人データを読み取る情報読取処理が実行される（ステップＳ１０３）。図７は、図５に示す情報読取処理の処理手順の一例を示す図である。
【００５８】
情報読取部１５は、図７に示すように、生徒証４０から生徒の個人データの読み取りを開始する（ステップＳ２０１）。その際、表示部１２は、「生徒証を読み取り部にかざして下さい。」などの表示を行う。
【００５９】
そして、情報読取部１５は、読み取りが正常に終了したか否かを判定する（ステップＳ２０２）。読み取りが正常に終了した場合（ステップＳ２０２においてＹＥＳの場合）、そのままこの情報読取処理は終了する。
【００６０】
読み取りが正常に終了しなかった場合（ステップＳ２０２においてＮＯの場合）、情報読取部１５は、この読み取りが３回目の読み取りか否かを判定する（ステップＳ２０３）。
【００６１】
この読み取りが３回目の読み取りでない場合（ステップＳ２０３においてＮＯの場合）、ステップＳ２０１以降の処理が継続される。この読み取りが３回目の読み取りである場合（ステップＳ２０３においてＹＥＳの場合）、表示部１２は、エラー表示を行い（ステップＳ２０４）、そのまま情報読取処理および画像形成処理が終了する。例えば、エラー表示として、「生徒証から情報を読み取れませんでした。生徒証を確認し、もう一度初めから操作をして下さい。」といった表示がなされる。
【００６２】
図５の説明に戻ると、ステップＳ１０３の後、画像形成装置１０が、認証用サーバ装置２０、データ提供用サーバ装置３０との間で通信を正常に行うことができるか否かをチェックする装置間通信チェック処理が実行される（ステップＳ１０４）。図８は、図５に示す装置間通信チェック処理の処理手順の一例を示す図である。
【００６３】
通信部１４は、認証用サーバ装置２０、データ提供用サーバ装置３０との間で制御用パケットの送受信を行い、図８に示すように、正常に通信できるか否かをチェックする通信チェックを開始する（ステップＳ３０１）。
【００６４】
そして、通信部１４は、通信が正常に完了したか否かを判定する（ステップＳ３０２）。通信が正常に完了した場合（ステップＳ３０２においてＹＥＳの場合）、そのままこの装置間通信チェック処理は終了する。
【００６５】
通信が正常に完了しなかった場合（ステップＳ３０２においてＮＯの場合）、通信部１４は、この通信チェックが３回目の通信チェックであるか否かを判定する（ステップＳ３０３）。
【００６６】
この通信チェックが３回目の通信チェックでない場合（ステップＳ３０３においてＮＯの場合）、ステップＳ３０１以降の処理が継続される。この通信チェックが３回目の通信チェックである場合（ステップＳ３０３においてＹＥＳの場合）、表示部１２は、エラー表示を行い（ステップＳ３０４）、そのまま装置間通信チェック処理および画像形成処理が終了する。例えば、エラー表示として、「サーバと通信ができません。サービスマンをお呼び下さい。」といった表示がなされる。
【００６７】
図５の説明に戻ると、ステップＳ１０４の処理の後、生徒証４０から読み取った個人データに含まれる生徒ＩＤと、生徒により入力されたパスワードが、認証用サーバ装置２０に登録されている生徒ＩＤ、パスワードとそれぞれ一致するか否かを判定する本人認証処理が実行される（ステップＳ１０５）。図９は、図５に示す本人認証処理の処理手順の一例を示す図である。
【００６８】
通信部１４は、図９に示すように、生徒証４０から読み取った生徒ＩＤを認証用サーバ装置２０に送信する（ステップＳ４０１）。生徒ＩＤを受信した認証用サーバ装置２０は、その生徒ＩＤが認証用サーバ装置２０の生徒データ２３ａに登録されている生徒ＩＤと一致するか否かを判定する。
【００６９】
その後、通信部１４は、認証用サーバ装置２０から生徒ＩＤの照合結果の情報を受信する（ステップＳ４０２）。そして、通信部１４は、認証用サーバ装置２０による照合において生徒ＩＤが一致したか否かを判定する（ステップＳ４０３）。
【００７０】
生徒ＩＤが一致しなかった場合（ステップＳ４０３においてＮＯの場合）、通信部１４は、生徒ＩＤの照合が３回目の照合であるか否かを判定する（ステップＳ４０４）。生徒ＩＤの照合が３回目の照合でない場合（ステップＳ４０４においてＮＯの場合）、ステップＳ４０１以降の処理が継続される。
【００７１】
生徒ＩＤの照合が３回目の照合である場合（ステップＳ４０４においてＹＥＳの場合）、表示部１２は、エラー表示を行い（ステップＳ４０５）、そのまま本人認証処理および画像形成処理が終了する。例えば、エラー表示として、「この生徒証は使用できません。生徒証を確認し、もう一度初めから操作をして下さい。」といった表示がなされる。
【００７２】
また、ステップＳ４０３において、生徒ＩＤが一致した場合（ステップＳ４０３においてＹＥＳの場合）、入力部１１は、生徒からパスワードの入力を受け付ける（ステップＳ４０６）。その際、表示部１２は、「パスワードを入力して下さい。」などの表示を行う。
【００７３】
そして、通信部１４は、そのパスワードを認証用サーバ装置２０に送信する（ステップＳ４０７）。パスワードを受信した認証用サーバ装置２０は、そのパスワードが認証用サーバ装置２０の生徒データ２３ａに登録されているパスワードと一致するか否かを判定する。
【００７４】
その後、通信部１４は、認証用サーバ装置２０からパスワードの照合結果の情報を受信する（ステップＳ４０８）。そして、通信部１４は、認証用サーバ装置２０による照合においてパスワードが一致したか否かを判定する（ステップＳ４０９）。
【００７５】
パスワードが一致した場合（ステップＳ４０９においてＹＥＳの場合）、そのままこの本人認証処理は終了する。これにより、その生徒が本人として認証されたことになる。パスワードが一致しなかった場合（ステップＳ４０９においてＮＯの場合）、通信部１４は、この照合が３回目の照合であるか否かを判定する（ステップＳ４１０）。
【００７６】
この照合が３回目の照合でない場合（ステップＳ４１０においてＮＯの場合）、表示部１２は、エラー表示を行い（ステップＳ４１１）、その後、ステップＳ４０６以降の処理が継続される。例えば、エラー表示として、「パスワードが違います。パスワードを入力し直して下さい。」といった表示がなされる。
【００７７】
この照合が３回目の照合である場合（ステップＳ４１０においてＹＥＳの場合）、表示部１２は、エラー表示を行い（ステップＳ４１２）、そのまま本人認証処理および画像形成処理が終了する。例えば、エラー表示として、「システムへログインできませんでした。もう一度初めから操作をして下さい。」といった表示がなされる。
【００７８】
図５の説明に戻ると、ステップＳ１０５の処理の後、入力部１１は、生徒から印刷を希望する文書の選択を受け付ける（ステップＳ１０６）。ここで、入力部１１は、複数の文書の選択を受け付けることができる。
【００７９】
その際、通信部１４は、データ提供用サーバ装置３０から文書の詳細情報を取得し、表示部１１が、その詳細情報を表示する。さらに、表示部１２は、「ご希望の文書を選択して下さい。」などの表示を行う。このような処理により、生徒は所望の文書を容易に選択することができる。
【００８０】
ここで、表示される詳細情報は、認証用サーバ装置２０の生徒データ２３ａにその生徒の個人データと対応付けて記憶されている試験問題ＩＤ、分野ＩＤ、年度ＩＤ、科目ＩＤ、難易度ＩＤ、種別ＩＤに対応する試験問題の詳細情報である。これにより、その生徒の学習に適するものとして選択された試験問題の詳細情報が表示され、その中からユーザが容易に試験問題を選択できるようになる。
【００８１】
ステップＳ１０６の処理の後、課金処理部１８は、詳細情報に含まれる各文書のページ数、および、購入料金の情報を参照し、印刷される各文書のページ数、購入料金を合計する（ステップＳ１０７）。そして、表示部１２は、その合計結果を表示する（ステップＳ１０８）。
【００８２】
例えば、表示部１２は、「印刷枚数は全部でｘ枚です。料金は合計ｙ円となります。出力しますか、それとも、再度文書を選択しますか？」などの表示を行う。そして、画像形成部１７は、生徒から印刷実行指示、または、印刷する文書の再選択要求がなされるのを待ち受ける。
【００８３】
その後、画像形成部１７は、生徒から印刷実行指示を受け付けたか否かを判定する（ステップＳ１０９）。印刷実行指示を受け付けていない場合（ステップＳ１０９においてＮＯの場合）、画像形成部１７は、印刷する文書の再選択要求を受け付けたか否かを判定する（ステップＳ１１０）。
【００８４】
印刷する文書の再選択要求を受け付けた場合（ステップＳ１１０においてＹＥＳの場合）、ステップＳ１０６以降の処理が継続される。印刷する文書の再選択要求を受け付けず、印刷処理のキャンセル要求を受け付けた場合（ステップＳ１１０においてＮＯの場合）、この画像形成処理はそのまま終了する。
【００８５】
ステップＳ１０９において、生徒から印刷実行指示を受け付けた場合（ステップＳ１０９においてＹＥＳの場合）、入力部１１は、図６に示すように、生徒から支払い方法の選択を受け付ける（ステップＳ１１１）。その際、表示部１２は、「支払い方法を選択して下さい。」などの表示を行う。
【００８６】
例えば、表示部１２は、「支払い方法選択：１．登録したクレジットカード，２．授業料との同時支払い，３．現金払い，４．中止」などの選択肢を表示する。なお、図６には図示していないが、「４．中止」が選択された場合、この画像形成処理はそのまま終了する。
【００８７】
ここで、生徒が「１．登録したクレジットカード」を選択した場合、認証用サーバ装置２０の生徒データ２３ａに予め登録されている生徒のクレジットカードから、代金の引き落としがなされる。生徒が「２．授業料との同時支払い」を選択した場合、認証用サーバ装置２０の生徒データ２３ａに予め登録されているその生徒の銀行口座から、代金の引き落としがなされる。また、生徒が「３．現金払い」を選択した場合、生徒はコンビニエンスストアのレジで現金で支払いを行うことができる。レジで支払いを行う場合、一般に普及している電子マネーを用いることとしてもよい。
【００８８】
生徒から支払い方法の選択を受け付けた場合、装置間通信チェック処理が実行される（ステップＳ１１２）。この処理は、図８で説明した処理と同様の処理であるので、ここでは説明を省略する。
【００８９】
その後、画像形成装置１０から認証用サーバ装置２０に支払い方法の情報を送信する支払い方法情報送信処理が実行される（ステップＳ１１３）。図１０は、図６に示す支払い方法情報送信処理の処理手順の一例を示す図である。
【００９０】
通信部１４は、図１０に示すように、支払い方法の情報を、例えばＳＳＬのプロトコルを用いて認証用サーバ装置２０に送信する（ステップＳ５０１）。そして、通信部１４は、その送信が成功したか否かを判定する（ステップＳ５０２）。送信が成功した場合（ステップＳ５０２においてＹＥＳの場合）、そのままこの支払い方法情報送信処理は終了する。
【００９１】
送信が成功しなかった場合（ステップＳ５０２においてＮＯの場合）、通信部１４は、この送信が３回目の送信であるか否かを判定する（ステップＳ５０３）。この送信が３回目の送信でない場合（ステップＳ５０３においてＮＯの場合）、ステップＳ５０１以降の処理が継続される。
【００９２】
この送信が３回目の送信である場合（ステップＳ５０３においてＹＥＳの場合）、表示部１２は、エラー表示を行い（ステップＳ５０４）、そのまま支払い方法情報送信処理および画像形成処理が終了する。例えば、エラー表示として、「サーバと通信ができません。サービスマンをお呼び下さい。」といった表示がなされる。
【００９３】
支払い方法の情報は、生徒に課金するため、学校の担当者により参照される。また、支払い方法の情報とともに、生徒が操作している画像形成装置１０の装置ＩＤを受信することとし、生徒が試験問題を取得したコンビニエンスストアや画像形成装置１０を把握できるようにしてもよい。
【００９４】
また、生徒が保護者の承諾なしに多量の文書を印刷して、請求額が膨大になるのを防ぐため、画像形成装置１０の通信部１４、または、認証用サーバ装置２０の通信部２４が保護者の携帯電話機やスマートフォンに、生徒のサービス利用状況をリアルタイムで送信することとしてもよい。
【００９５】
この場合、認証用サーバ装置２０の生徒データ２３ａに、生徒の個人データと対応付けて保護者のメールアドレスの情報を登録しておき、画像形成装置１０の通信部１４、または、認証用サーバ装置２０の通信部２４はその情報を利用してメールを送信することとすればよい。
【００９６】
図６の説明に戻ると、ステップＳ１１３の処理の後、データ提供用サーバ装置３０から画像形成装置１０に生徒が選択した文書のデータをダウンロードする文書データダウンロード処理が実行される（ステップＳ１１３）。図１１は、図６に示す文書データダウンロード処理の処理手順の一例を示す図である。
【００９７】
通信部１４は、図１１に示すように、生徒により選択された文書のデータを、例えばＳＳＬのプロトコルを用いてデータ提供用サーバ装置３０からダウンロードする（ステップＳ６０１）。そして、通信部１４は、ダウンロードが成功したか否かを判定する（ステップＳ６０２）。ダウンロードが成功した場合（ステップＳ６０２においてＹＥＳの場合）、そのままこのダウンロード処理は終了する。
【００９８】
ダウンロードが成功しなかった場合（ステップＳ６０２においてＮＯの場合）、通信部１４は、このダウンロードが３回目のダウンロードであるか否かを判定する（ステップＳ６０３）。このダウンロードが３回目のダウンロードでない場合（ステップＳ６０３においてＮＯの場合）、ステップＳ６０１以降の処理が継続される。
【００９９】
このダウンロードが３回目のダウンロードである場合（ステップＳ６０３においてＹＥＳの場合）、表示部１２は、エラー表示を行い（ステップＳ６０４）、そのまま文章データダウンロード処理および画像形成処理が終了する。例えば、エラー表示として、「サーバから文書データがダウンロードできませんでした。サービスマンをお呼び下さい。」といった表示がなされる。
【０１００】
図６の説明に戻ると、ステップＳ１１４の処理の後、画像形成部１７は、ダウンロードされた文書データを用いて文書を印刷する（ステップＳ１１５）。ここで、画像形成部１７は、地紋印刷を行うこととしてもよい。
【０１０１】
この場合、データ提供用サーバ装置３０が文書データに地紋データを予め合成しておき、画像形成部１７がその文書データを用いて文書を印刷することとしてもよいし、画像形成部１７が、認証用サーバ装置２０から地紋データを取得し、その地紋データをデータ提供用サーバ装置３０から取得した文書データに合成し、その文書データを用いて文書を印刷することとしてもよい。これにより、情報漏えいを防止することができる。
【０１０２】
また、画像形成部１７は、文書内に生徒や出力場所を特定可能な情報を電子透かし情報として埋め込むこととしてもよい。これにより、情報が漏えいした場合にその漏えい源の特定をより容易に行うことができるようになる。
【０１０３】
ステップＳ１１５の処理の後、画像形成部１７は、印刷を継続する指示を生徒から受け付けたか否かを判定する（ステップＳ１１６）。なお、この判定処理の前に、表示部１２により、「さらに印刷を継続しますか？」などの表示がなされているものとする。
【０１０４】
印刷を継続する指示を生徒から受け付けた場合（ステップＳ１１６においてＹＥＳの場合）、図５のステップＳ１０６以降の処理が継続される。印刷を継続する指示を生徒から受け付けず、画像形成処理の終了指示を受け付けた場合（ステップＳ１１６においてＮＯの場合）、この画像形成処理は終了する。
【０１０５】
つぎに、本発明の実施形態に係る採点結果印刷処理の処理手順について説明する。図１２は、本発明の実施形態に係る採点結果印刷処理の処理手順の一例を示すフローチャートである。採点結果印刷処理とは、生徒が取得した試験問題の解答に対する採点結果を印刷する処理である。
【０１０６】
まず、画像形成装置１０の表示部１２は、生徒が画像形成装置１０を操作して行う処理の選択を受け付けるためのメニュー画面を表示する（ステップＳ７０１）。そして、情報読取部１５は、生徒により採点結果出力処理が選択されたか否かを判定する（ステップＳ７０２）。採点結果出力処理が選択されなかった場合（ステップＳ７０２においてＮＯの場合）、この画像形成処理はそのまま終了する。この場合、選択された他の処理が画像形成処理により実行される。
【０１０７】
採点結果出力処理が選択された場合（ステップＳ７０２においてＹＥＳの場合）、生徒が有する生徒証４０から生徒の個人データを読み取る情報読取処理が実行される（ステップＳ７０３）。この処理は、図７で説明した処理と同様のものである。
【０１０８】
その後、画像形成装置１０が、認証用サーバ装置２０、データ提供用サーバ装置３０との間で通信を正常に行うことができるか否かをチェックする装置間通信チェック処理が実行される（ステップＳ７０４）。この処理は、図８で説明した処理と同様のものである。
【０１０９】
さらに、生徒証４０から読み取った個人データに含まれる生徒ＩＤと、生徒により入力されたパスワードが、認証用サーバ装置２０に登録されている生徒ＩＤ、パスワードとそれぞれ一致するか否かを判定する本人認証処理が実行される（ステップＳ７０５）。この処理は、図９で説明した処理と同様のものである。
【０１１０】
本人認証処理により生徒が本人であることが認証されると、スキャン処理部１６は、生徒により記入された答案をスキャンする（ステップＳ７０６）。そして、通信部１４は、スキャンにより得られたデータをデータ提供用サーバ装置３０に送信する（ステップＳ７０７）。
【０１１１】
例えば、答案がマークシートの答案である場合、データ提供用サーバ装置３０には、マークシートで選択された各解答の情報が送信される。そして、データ提供用サーバ装置３０は、解答データ３３ｂを参照し、その解答の正誤を判定し、採点を行う。
【０１１２】
さらに、データ提供用サーバ装置３０は、採点の結果から、その生徒の順位、合格可能性の判定結果、偏差値、どの分野で誤りが多いかの傾向を判定する。そして、データ提供用サーバ装置３０は、それらの情報を含む採点結果のデータを画像形成装置１０に送信する。
【０１１３】
その後、通信部１４は、データ提供用サーバ装置３０から送信された採点結果のデータを受信する（ステップＳ７０８）。そして、画像形成部１７は、受信したデータを用いて、採点結果の印刷を行う（ステップＳ７０９）。このようにさまざまな情報を提供できるようにすることで、より充実した新しい学習指導サービスが実現できる。
【０１１４】
ここで、画像形成部１７は、試験問題を印刷する場合と同様に、地紋印刷を行うこととしてもよい。この場合、データ提供用サーバ装置３０が採点結果のデータに地紋データを予め合成しておき、画像形成部１７がそのデータを用いて文書を印刷することとしてもよいし、画像形成部１７が、認証用サーバ装置２０から地紋データを取得し、その地紋データをデータ提供用サーバ装置３０から取得した採点結果のデータに合成し、そのデータを用いて文書を印刷することとしてもよい。これにより、情報漏えいを防止することができる。
【０１１５】
また、画像形成部１７は、採点結果内に生徒や出力場所を特定可能な情報を電子透かし情報として埋め込むこととしてもよい。これにより、情報漏えい時の漏えい源の特定をより容易に行うことができるようになる。
【０１１６】
以上、本発明の実施形態を説明してきたが、本発明は上述した実施形態に限定されず、本発明の要旨を逸脱しない範囲内で各種の変形、修正が可能である。
【０１１７】
例えば、上記実施形態では、認証用サーバ装置２０とデータ提供用サーバ装置３０とがそれぞれ上述したような処理を実行することとしたが、それらの装置が行う各処理を１つの装置が実行することとしてもよい。
【０１１８】
また、上記実施形態では、試験問題ＩＤ、分野ＩＤ、年度ＩＤ、科目ＩＤ、難易度ＩＤ、種別ＩＤの情報を認証用サーバ装置２０に記憶しておくこととしたが、上記各ＩＤを生徒証４０に記憶しておくこととしてもよい。
【０１１９】
この場合、画像形成装置１０は、生徒証４０から個人データとともに、試験問題ＩＤ、分野ＩＤ、年度ＩＤ、科目ＩＤ、難易度ＩＤ、種別ＩＤの情報を読み取る。そして、画像形成装置１０は、認証用サーバ装置２０により生徒が本人であると認証された場合に、上記ＩＤ情報を用いてデータ提供用サーバ装置３０により選択された試験問題を印刷する。
【符号の説明】
【０１２０】
１０…画像形成装置、１１…入力部、１２…表示部、１３…記憶部、１４…通信部、１５…情報読取部、１６…スキャン処理部、１７…画像形成部、１８…課金処理部、１９…制御部、２０…認証用サーバ装置、２１…入力部、２２…表示部、２３…記憶部、２３ａ…生徒データ、２３ｂ…課金データ、２４…通信部、２５…認証部、２６…制御部、３０…データ提供用サーバ装置、３１…入力部、３２…表示部、３３…記憶部、３３ａ…問題データ、３３ｂ…解答データ、３３ｃ…採点結果データ、３４…通信部、３５…データ選択部、３６…採点処理部、３７…制御部、４０…生徒証。
【図１】
2014029572.tif 000003
【図２】
2014029572.tif 000004
【図３】
2014029572.tif 000005
【図４】
2014029572.tif 000006
【図５】
2014029572.tif 000007
【図６】
2014029572.tif 000008
【図７】
2014029572.tif 000009
【図８】
2014029572.tif 000010
【図９】
2014029572.tif 000011
【図１０】
2014029572.tif 000012
【図１１】
2014029572.tif 000013
【図１２】
2014029572.tif 000014